(57)【要約】【課題】太陽光を取り入れると共に、視線を遮ることができるシャッターカーテン、及び開閉装置を得る。【解決手段】スラット３８は、半透明の樹脂材料を用いて形成されている。さらに、板部５０は、室外側が室内側に対して上方に位置するように傾いている。このため、太陽光は、矢印Ａ方向（板部５０の板面に沿った方向）から室内に取り入れられる。また、室外から室内を視認できる水平方向の視線（図中矢印Ｂ）については、板部５０によって、遮られる。【選択図】図１
2018017037.tif 000002
【特許請求の範囲】
【請求項１】
第１方向に延び、半透明の樹脂材料で成形され、上下方向に連結されている複数のスラットを備えるシャッターカーテンであって、
前記スラットは、
前記第１方向に延びる筒状の本体部と、
前記本体部の上部に形成され、上方に位置する前記スラットと連結する連結部と、
前記本体部の下部に形成され、下方に位置する前記スラットと連結する被連結部と、
前記本体部の内部に形成され、前記第１方向から見て、水平方向に対して一方向に傾いている板部と、を有するシャッターカーテン。
【請求項２】
第１方向に延び、上下方向に連結されている複数のスラットを備えるシャッターカーテンであって、
前記スラットは、
前記第１方向に延び、半透明の樹脂材料で成形されている筒状の本体部と、
前記本体部の上部に形成され、上方に位置する前記スラットと連結すると共に、不透明の樹脂材料で成形されている連結部と、
前記本体部の下部に形成され、下方に位置する前記スラットと連結すると共に、不透明の樹脂材料で成形されている被連結部と、
前記本体部の内部に形成され、前記第１方向から見て、水平方向に対して一方向に傾いていると共に、不透明の樹脂材料で成形されている板部と、を有するシャッターカーテン。
【請求項３】
請求項１又は２に記載のシャッターカーテンと、
前記シャッターカーテンの第１方向の端部側の部分が挿入され、前記シャッターカーテンの上下方向の移動をガイドする一対のガイドレールと、
前記ガイドレールの上方に配置され、前記シャッターカーテンを巻き取る、又は巻き取ったシャッターカーテンを送り出す巻取り軸と、
を備える開閉装置。
【発明の詳細な説明】
【技術分野】
【０００１】
本発明は、シャッターカーテン、及び開閉装置に関する。
【背景技術】
【０００２】
特許文献１に記載の開閉装置は、上下方向に連結されている複数のスラットを有するシャッターカーテンと、シャッターカーテンの上下方向の移動をガイドする一対のガイドレールとを備えている。
【先行技術文献】
【特許文献】
【０００３】
【特許文献１】特開２０１２−１２２２９７号公報
【発明の概要】
【発明が解決しようとする課題】
【０００４】
シャッターカーテンによって、家屋の開口を閉止した状態では、太陽光を室内に取り入れることができなかった。また、シャッターカーテンによって、家屋の開口を開放した状態では、室外から開口を通して室内が見えてしまった。
【０００５】
本発明の課題は、太陽光を取り入れると共に、視線を遮ることである。
【課題を解決するための手段】
【０００６】
本発明の請求項１に係るシャッターカーテンは、第１方向に延び、半透明の樹脂材料で成形され、上下方向に連結されている複数のスラットを備えるシャッターカーテンであって、前記スラットは、前記第１方向に延びる筒状の本体部と、前記本体部の上部に形成され、上方に位置する前記スラットと連結する連結部と、前記本体部の下部に形成され、下方に位置する前記スラットと連結する被連結部と、前記本体部の内部に形成され、前記第１方向から見て、水平方向に対して一方向に傾いている板部と、を有することを特徴とする。
【０００７】
上記構成によれば、スラットは、半透明の樹脂材料で成形されている。また、スラットの本体部の内部には、水平方向に対して一方向に傾いている板部が形成されている。
【０００８】
例えば、室外側が、室内側に対して上方に位置するように板部を傾斜させることで、太陽光が、板部の板面に沿って室内側に取り入れられる。また、室外から室内を視認できる水平方向の視線については、板部によって遮られる。このように、シャッターカーテンを用いることで、太陽光を取り入れると共に、視線を遮ることができる。
【０００９】
本発明の請求項２に係るシャッターカーテンは、第１方向に延び、上下方向に連結されている複数のスラットを備えるシャッターカーテンであって、前記スラットは、前記第１方向に延び、半透明の樹脂材料で成形されている筒状の本体部と、前記本体部の上部に形成され、上方に位置する前記スラットと連結すると共に、不透明の樹脂材料で成形されている連結部と、前記本体部の下部に形成され、下方に位置する前記スラットと連結すると共に、不透明の樹脂材料で成形されている被連結部と、前記本体部の内部に形成され、前記第１方向から見て、水平方向に対して一方向に傾いていると共に、不透明の樹脂材料で成形されている板部と、を有することを特徴とする。
【００１０】
上記構成によれば、スラットの本体部は、半透明の樹脂材料で成形されている。さらに、スラットの連結部、被連結部、及び板部は、不透明の樹脂材料で成形されている。また、板部は、水平方向に対して一方向に傾いている。
【００１１】
例えば、室外側が、室内側に対して上方に位置するように板部を傾斜させることで、太陽光が、板部の板面に沿って室内側に取り入れられる。また、室外から室内を視認できる水平方向の視線については、不透明の樹脂で成形されている連結部、被連結部、及び板部によって遮られる。このように、シャッターカーテンを用いることで、太陽光を取り入れると共に、視線を遮ることができる。
【００１２】
本発明の請求項３に係る開閉装置は、請求項１又は２に記載のシャッターカーテンと、前記シャッターカーテンの第１方向の端部側の部分が挿入され、前記シャッターカーテンの上下方向の移動をガイドする一対のガイドレールと、前記ガイドレールの上方に配置され、前記シャッターカーテンを巻き取る、又は巻き取ったシャッターカーテンを送り出す巻取り軸と、を備えることを特徴とする。
【００１３】
上記構成によれば、開閉装置は、請求項１又は２に記載のシャッターカーテンを備えている。このため、巻取り軸がシャッターカーテンを巻き取った状態でも、巻取り軸がシャッターカーテンを送り出した状態でも、太陽光を取り入れることができる。
【発明の効果】
【００１４】
本発明によれば、太陽光を取り入れると共に、視線を遮ることができる。
【図面の簡単な説明】
【００１５】
【図１】本発明の第１実施形態に係るシャッターカーテンを示した断面図である。
【図２】（Ａ）（Ｂ）本発明の第１実施形態に係るシャッターカーテンとフックとを示した斜視図である。
【図３】本発明の第１実施形態に係るシャッターカーテンとフックとを示した斜視図である。
【図４】本発明の第１実施形態に係るシャッターカーテンとフックとを示した断面図である。
【図５】（Ａ）（Ｂ）本発明の第１実施形態に係る開閉装置を示した正面図、及び側面図である。
【図６】本発明の第２実施形態に係るシャッターカーテンを示した断面図である。
【図７】本発明の実施形態に対する参考形態に係るシャッターカーテンを示した断面図である。
【発明を実施するための形態】
【００１６】
＜第１実施形態＞
本発明の第１実施形態に係るシャッターカーテン、及び開閉装置の一例を図１〜図５に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１７】
（全体構成）
図５（Ａ）（Ｂ）に示されるように、本実施形態に係る開閉装置１０は、窓１１０が取り付けられている家屋の開口１００（被対象物の一例）を開放、又は閉止するために用いられる装置である。この開閉装置１０は、シャッターカーテン１２（以下「カーテン１２」）と、カーテン１２の上下方向の移動をガイドする一対のガイドレール２０と、カーテン１２を巻き取る巻取り軸３０とを備えている。
【００１８】
〔ガイドレール〕
ガイドレール２０は、図５（Ａ）に示されるように、上下方向に延び、装置幅方向からカーテン１２を挟むように２個設けられている。
【００１９】
夫々のガイドレール２０は、図４に示されるように、カーテン１２において幅方向の端部側の部分が挿入される断面Ｃ字状の本体部２２と、本体部２２の内部に配置されている断面Ｃ字状のレール部２４とを備えている。
【００２０】
レール部２４は、本体部２２と比して小さく、レール部２４の底板２４Ａと本体部２２の底板２２Ａとは、溶接等で接合されている。そして、レール部２４には、後述するフック７０の頭部７４が挿入されている。
【００２１】
〔巻取り軸〕
巻取り軸３０は、図５（Ａ）に示されるように、一対のガイドレール２０の上方で、装置幅方向に延びて配置されている。巻取り軸３０には、巻取り軸３０が周方に回転するように図示せぬ付勢部材の付勢力が付与されている。
【００２２】
この構成において、開口１００を閉止した状態のカーテン１２に、上方向に移動する荷重を付与すると、巻取り軸３０が、カーテン１２を巻き取るようになっている。これに対して、開口１００を開放した状態のカーテン１２に、下方向に移動する荷重を付与すると、巻取り軸３０が、カーテン１２を送り出すようになっている。
【００２３】
〔カーテン〕
カーテン１２は、開閉装置１０が開口１００を閉止した状態で、図５（Ａ）（Ｂ）に示されるように、一対のガイドレール２０の間に配置されている。そして、カーテン１２は、装置幅方向（第１方向）に延びると共に、上下方向に連結されている複数のスラット３８と、フック７０とを備えている。なお、以下の説明で、スラット３８及びフック７０の姿勢については、開閉装置１０が開口１００を閉止した状態での姿勢で説明する。
【００２４】
［スラット］
スラット３８は、例えば、半透明の樹脂材料であるポリカーボネート樹脂を用いて、押し出し成形によって形成されている。ここで、「半透明の樹脂材料」とは、その樹脂材料を用いて成形された厚さが４〔ｍｍ〕で、かつ、表面粗さＲａが０．５〔μｍ〕（ＪＩＳ  Ｂ  ０６０１）の板材の可視光線透過率（ＪＩＳ  Ｋ  ７１０５）が、２０％以上８０％以下となる樹脂材料である。
【００２５】
そして、スラット３８は、図１に示されるように、装置幅方向から見て上下方向に延びる筒状の本体部４２と、本体部４２の上方部に形成されている連結部４４と、本体部４２の下方部に形成されている被連結部４６とを有している。
【００２６】
本体部４２は、内部４２Ａが空洞化され、本体部４２の内部４２Ａには、装置奥行方向（水平方向）に対して傾いている複数の板部５０が、内部４２Ａを仕切るように配置されている。板部５０は、装置幅方向から見て、室外側（開口１００とは反対側）が、室内側に対して上方に位置するように傾斜している。そして、夫々の板部５０は、上下方向に同様の間隔で配置されている。
【００２７】
さらに、本体部４２の上部に形成されている連結部４４は、装置幅方向から見て、上端部分が折り返された鉤状とされ、室内側（図中左側）が開放されている。これに対して、本体部４２の下部に形成されている被連結部４６は、装置幅方向から見て、下端部分が折り返された鉤状とされ、室外側（図中右側）が開放されている。
【００２８】
この構成において、一の本体部４２に形成されている連結部４４は、一の本体部４２の上方に配置されている他の本体部４２に形成されている被連結部４６と連結するようになっている。そして、装置幅方向から見た、連結部４４と被連結部４６との連結角度が変化することで、カーテン１２が巻取り軸３０（図５（Ｂ）参照）に巻き取られるようになっている。
【００２９】
［フック］
フック７０は、例えば、金属材料を用いて成形されている。フック７０は、本実施形態では、全てのスラット３８に取り付けられておらず、図５（Ａ）に示されるように、上下方向に連結されているスラット３８に対して、一つおきに取り付けられている。
【００３０】
フック７０は、図３に示されるように、スラット３８の本体部４２の装置幅方向の両端部にとりつけられている。そして、フック７０は、図２（Ｂ）に示されるように、装置幅方向に延びている断面矩形状の延設部７２と、延設部７２の装置幅方向の外側端部に固定されている頭部７４と、延設部７２の装置幅方向の中央部分に固定されている基部７６とを有している。
【００３１】
延設部７２は、板状とされ、延設部７２の板面は、装置奥行方向を向いている。そして、延設部７２の装置幅方向の内側の部分には、表裏を貫通する貫通孔７２Ａが形成されている。
【００３２】
頭部７４は、板状とされ、頭部７４の板面は、装置幅方向を向いている。そして、装置幅方向から見て、頭部７４は、延設部７２と比して、大型化されている。
【００３３】
基部７６は、板状とされ、  基部７６の板面は、装置幅方向を向いている。そして、延設部７２が基部７６の中央側の部分を貫通している。また、装置幅方向から見て、基部７６は、スラット３８の本体部４２と比して、大型化されている。
【００３４】
以下にフック７０をスラット３８に取り付ける工程について説明する。
【００３５】
スラット３８は、押し出し成形によって形成されている。スラット３８には、図２（Ａ）に示されるように、板部５０が一体的に内部に形成されている。そして、板部５０は、スラット３８の一端部から他端部まで、設けられている。
【００３６】
そして、フック７０をスラット３８に取り付ける場合に、先ず、板部５０の端部側の部分が、図２（Ｂ）に示されるように、切り取られる。そして、スラット３８に貫通孔４８が形成される。
【００３７】
貫通孔４８は、本体部４２において室外側（開口１００とは反対側）の壁と、室内側（開口１００側）の壁とに形成され、室外側に形成された貫通孔４８は、装置奥行方向から見て、室内側に形成された貫通孔４８と重なるようになっている。
【００３８】
次に、延設部７２の一部を本体部４２の内部４２Ａに挿入し、基部７６の板面と、本体部４２の端面とを接触させる。そして、リベット７８を、装置奥行方向から、室外側の貫通孔４８、延設部７２の貫通孔７２Ａ、及び室内側の貫通孔４８にこの順番にさしこみ、リベット７８の先端部を、かしめる。これにより、フック７０が、スラット３８に取り付けられる。
【００３９】
また、図４に示されるように、フック７０の頭部７４が、ガイドレール２０のレール部２４の内部に配置されるようになっている。これにより、カーテン１２がガイドレール２０から抜け出てしまうのは、抑制されるようになっている。
【００４０】
（作用・まとめ）
次に、カーテン１２及び開閉装置１０の作用について説明する。
【００４１】
スラット３８は、前述したように、半透明の樹脂材料を用いて形成されている。さらに、板部５０は、室外側が室内側に対して上方に位置するように傾いている。このため、例えば、昼に、開閉装置１０を用いて家屋の開口１００を閉止した状態では、図１に示されるように、太陽光は、図中の矢印Ａ方向（板部５０の板面に沿った方向）から室内に取り入れられる。
【００４２】
また、室外から室内を視認できる水平方向の視線（図中矢印Ｂ）については、板部５０によって、遮られる。
【００４３】
このように、カーテン１２は、太陽光を取り入れると共に、視線を遮ることができる。
【００４４】
また、開閉装置１０においては、カーテン１２を備えることで、開口１００を開放した状態でも、閉止した状態でも、太陽光を取り入れることができる。
【００４５】
＜第２実施形態＞
本発明の第２実施形態に係るシャッターカーテン、及び開閉装置の一例を図６に従って説明する。なお、シャッターカーテン８２（以下「カーテン８２」）、及び開閉装置８０については、第１実施形態と異なる部分を主に説明する。
【００４６】
カーテン８２のスラット８８は、例えば、樹脂材料であるポリカーボネート樹脂を用いて、押し出し成形によって形成されている。そして、スラット８８は、装置幅方向から見て上下方向に延びる筒状の本体部９２と、本体部９２の上方部に形成されている連結部９４と、本体部９２の下方部に形成されている被連結部９６とを有している。
【００４７】
本体部９２は、内部９２Ａが空洞化され、本体部９２の内部９２Ａには、装置奥行方向（水平方向）に対して傾いている複数の板部９８が、内部９２Ａを仕切るように配置されている。板部９８は、装置幅方向から見て、室外側（開口１００とは反対側）が、室内側に対して上方に位置するように傾斜している。そして、夫々の板部９８は、上下方向に同様の間隔で配置されている。
【００４８】
ここで、本体部９２は、半透明の樹脂材料を用いて成形され、板部９８は、不透明の樹脂材料を用いて成形されている。ここで、「不透明の樹脂材料」とは、その樹脂材料を用いて成形された厚さが４〔ｍｍ〕で、かつ、表面粗さＲａが０．５〔μｍ〕（ＪＩＳ  Ｂ  ０６０１）の板材の可視光線透過率（ＪＩＳ  Ｋ  ７１０５）が、２０％未満となる樹脂材料である。
【００４９】
さらに、本体部９２の上部に形成されている連結部９４は、装置幅方向から見て、上端部分が折り返された鉤状とされ、室内側（図中左側）が開放されている。これに対して、本体部９２の下部に形成されている被連結部９６は、装置幅方向から見て、下端部分が折り返された鉤状とされ、室外側（図中右側）が開放されている。ここで、連結部９４、及び被連結部９６は、不透明の樹脂材料を用いて成形されている。
【００５０】
（作用・まとめ）
次に、カーテン８２及び開閉装置８０の作用について説明する。
【００５１】
本体部９２は、前述したように、半透明の樹脂材料を用いて形成されている。さらに、板部９８は、室外側が室内側に対して上方に位置するように傾いている。このため、例えば、昼に、開閉装置８０を用いて家屋の開口１００を閉止した状態では、図６に示されるように、太陽光は、図中の矢印Ｃ方向（板部９８の板面に沿った方向）から室内に取り入れられる。
【００５２】
また、室外から室内を視認できる水平方向の視線（図中矢印Ｄ）については、連結部９４、被連結部９６、及び板部９８によって、遮られる。ここで、連結部９４、被連結部９６、及び板部９８は、不透明の樹脂材料を用いて成形されている。このため、連結部９４、被連結部９６、及び板部９８が半透明の樹脂材料を用いて成形されている場合と比して、視線を効果的に遮ることができる。
【００５３】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、特に説明しなかったが、カーテン１２、８２をオーバーヘッドドアのカーテンに用いてもよい。
【００５４】
＜参考形態＞
次に、参考形態に係る開閉装置１５０、及びシャッターカーテン１５２（以下「カーテン１５２」）について図７を用いて説明する。なお、カーテン１５２については、カーテン１２と異なる部分を主に説明する。
【００５５】
カーテン１５２のスラット１５８は、例えば、樹脂材料であるポリカーボネート樹脂を用いて、押し出し成形によって形成されている。そして、スラット１５８は、装置幅方向から見て上下方向に延びる筒状の本体部１７２と、本体部１７２の上方部に形成されている連結部１７４と、本体部１７２の下方部に形成されている被連結部１７６とを有している。
【００５６】
本体部１７２は、内部１７２Ａが空洞化され、本体部１７２の内部１７２Ａには、板面が上下方向を向いた複数の板部１８０が、内部１７２Ａを仕切るように配置されている。そして、夫々の板部１８０は、上下方向に同様の間隔で配置されている。
【００５７】
本体部１７２、連結部１７４、及び被連結部１７６は、半透明の樹脂材料を用いて成形され、板部１８０は、不透明の樹脂材料を用いて成形されている。
【００５８】
この構成において、例えば、昼に、開閉装置１５０を用いて家屋の開口１００を閉止した状態では、太陽光（図中の矢印Ｅ方向）は、板部１８０によって適度に遮断される。
【００５９】
また、室内から室外を視認できる水平方向の視線（図中矢印Ｆ）については、板部１８０によって、遮られることはない。
【００６０】
このように、カーテン１５２を用いることで、視界を妨げることなく、太陽光を適度に遮断することができる。
【符号の説明】
【００６１】
１０        開閉装置
１２        シャッターカーテン
１２        カーテン
２０        ガイドレール
３０        巻取り軸
３８        スラット
４２        本体部
４２Ａ      内部
４４        連結部
４６        被連結部
５０        板部
８０        開閉装置
８２        カーテン
８８        スラット
９２        本体部
９２Ａ      内部
９４        連結部
９６        被連結部
９８        板部
【図１】
2018017037.tif 000003
【図２】
2018017037.tif 000004
【図３】
2018017037.tif 000005
【図４】
2018017037.tif 000006
【図５】
2018017037.tif 000007
【図６】
2018017037.tif 000008
【図７】
2018017037.tif 000009